(57)【要約】【課題】成形品シャシー又は板金シャシーのいずれであっても組み付けられる成形品パネルを提供する。【解決手段】一端が閉鎖され、他端が開口部とされた筒状体とされ、筒状体の開口部には、成形品シャシー２１又は板金シャシー４１の取り付け端部２２ａ、２２ｂ、４２、４１ａ２が適合される成形品パネル内側周縁嵌合部３が形成され、内側周縁嵌合部３には、成形品シャシー２１を組み付けるための組み付け用溝４又は突起を形成すると共に、板金シャシー４１を組み付けるための組み付け用のビス穴５を有する突起部６が形成されている。【選択図】図２
2014025725.tif 000002
【特許請求の範囲】
【請求項１】
樹脂成形品である成形品シャシー又は板金シャシーを択一的に組み付けることのできる樹脂成形品である成形品パネルであって、
一端が閉鎖され、他端が開口部とされた筒状体とされ、
前記筒状体の前記開口部には、前記成形品シャシー又は前記板金シャシーの取り付け端部が適合される成形品パネル内側周縁嵌合部が形成され、
前記内側周縁嵌合部には、前記成形品シャシーを組み付けるための組み付け用溝又は突起を形成すると共に、前記板金シャシーを組み付けるための組み付け用のビス穴を有する突起部が形成されていることを特徴とする成形品パネル。
【請求項２】
前記成形品パネルに形成された前記内側周縁嵌合部は前記成形品シャシー及び前記板金シャシーの取り付け端部の厚み分の段差が形成され、前記成形品シャシー又は前記板金シャシーを組み付けた際に前記成形品パネルと、前記成形品シャシー又は前記板金シャシーと外周面にて段差なく組み付けられることを特徴とする請求項１に記載の成形品パネル。
【請求項３】
前記成形品パネルの前記開口部及び前記成形品パネル内側周縁嵌合部は、
概略矩形状とされ、
前記成形品パネル内側周縁嵌合部の上面及び下面に前記組み付け用溝が形成され、前記成形品パネル内側周縁嵌合部の両側面に前記突起部が形成されることを特徴とする請求項１又は２に記載の成形品パネル。
【発明の詳細な説明】
【技術分野】
【０００１】
本発明は、測定機器などの機器本体シャシーへ組み付けられる操作パネル等の成形品パネルに関するものである。
【背景技術】
【０００２】
測定機器などの電子機器において、シャシーや操作パネルは樹脂（例えばＡＢＳ、ＰＰＥ、ＰＣなど）による成形品や、板金（例えばアルミニウム、鋼板など）による成形品で構成される。多量生産される電子機器においては、樹脂などの成形品シャシーを成形し、成形品パネルをはめ込み、一体化して構成する場合が多く、一方、電気的シールド性などを要求し、且つ頑丈さを要求する電子機器においては、導電性の金属で作製することができる板金シャシーを用いることが多い。
【０００３】
従来の樹脂による成形品パネルの成形品シャシーへの組み付けについて図６、図７を用いて説明する。
【０００４】
尚、説明の為に用いる「前後」は、図中に示す前後であり、説明の為に用いる「上下」は、図面上の上下をそのまま上下として用いる。
【０００５】
図６に示す様に従来の成形品の機器本体１は成形品パネル６２と成形品シャシー（上部成形品シャシー６１ａ、下部成形品シャシー６１ｂ）６１にて構成されている。
【０００６】
成形品シャシー６１と成形品パネル６２の組み付け方法は、上下のシャシー６１ａ、６１ｂの嵌合部に成形品パネル６２を挟み、成形品パネル６２に設けられた突起部と成形品シャシー６１に設けられた溝部を係止嵌合し固定する方法が主である。
【０００７】
図７（ａ）〜（ｅ）を用いて従来の成形品シャシー６１と成形品パネル６２の組み付けについて説明する。
【０００８】
図７（ａ）〜（ｄ）は従来の成形品シャシー（上部成形品シャシー６１ａ、下部成形品シャシー６１ｂ）と成形品パネル６２である。図７（ｃ）、（ｄ）に示す様に、成形品パネル６２は天井板６２ａ、両側板６２ｂ、６２ｃ、底板６２ｄにて構成された概略矩形状であり、前側のそれぞれの板の端部を表板６２ｅにて閉鎖された筒状体の構造をもっている。表板６２ｅの外側の面Ｆは電子機器の操作のためのパネルとなっている。成形品パネル６２の後ろ側の開口部は後述のシャシーとの組み付け開口６２ｆとなる。成形品パネル６２のシャシー組み付け開口６２ｆ近傍の天井板６２ａに上方垂直方向へと凸となるように天井板６２ａの内面から突出した突起部にパネル組み付け用突起６３ａが設けられている。同様に、成形品パネル６２のシャシー組み付け開口６２ｆ近傍の底板６２ｄに下方垂直方向へと凸となるように底板６２ｄの内面から突出した突起部にパネル組み付け用突起６３ｂが設けられている。
【０００９】
上部成形品シャシー６１ａは図７（ａ）に示す様に天井板６１ａ１と両側板６１ａ２、６１ａ２にて形成される逆Ｕ字構造を持つ。上部成形品シャシー６１ａの前側の開口部は成形品パネルを組み付けられる開口部（以下、「パネル組み付け開口部」という。）６１ａ３である。上部成形品シャシー６１ａのパネル組み付け開口部６１ａ３近傍の天井板６１ａ１の下方内面にはパネル組み付け用溝６４ａを持つ。下部成形品シャシー６１ｂは図７（ｂ）に示す様に、底板６１ｂ１と両側板６１ｂ２、６１ｂ２にて形成されるＵ字構造をもつ。
【００１０】
断面にてＵ字形状を持つ下部成形品シャシー６１ｂの一方の開口部である前側開口部にはパネル組み付け開口部６１ｂ３を持つ。下部成形品シャシー６１ｂのパネル組み付け開口部６１ｂ３近傍の底板６１ｂ１の上方内面にはパネル組み付け用溝６４ｂを持つ。
【００１１】
図７（ｃ）の成形品パネル６２を上部成形品シャシー６１ａと下部成形品シャシー６１ｂを組み合わせ図示しない固定部材にて一体とされた成形品シャシー６１のパネル組み付け開口部６１ａ３、６１ｂ３に差し込む。図７（ｅ）に示すように上部成形品シャシー６１ａのパネル組み付け用溝６４ａと下部成形品シャシー６１ｂのパネル組み付け用溝６４ｂに成形品パネル６２の上下内側に設けられているパネル組み付け用突起６３ａ、６３ｂがそれぞれ係止嵌合し、成形品パネル６２が成形品シャシー６１に締結し固定される。
【００１２】
次に従来の成形品パネル（操作パネル等）の板金シャシーへの組み付けについて図８、図９を用いて説明する。
【００１３】
図８は、成形品パネル８２と板金シャシー８１で構成された電子機器本体１の概略斜視図であり、図９は板金シャシー（上部板金シャシー８１ａ、下部板金シャシー８１ｂ）８１と、成形品パネル８２とを備えた電子機器の分割斜視図であり、その組み付け工程を説明する。
【００１４】
図９（ｃ）、（ｄ）に示す様に、成形品パネル８２は天井板８２ａ、両側板８２ｂ、８２ｃ、底板８２ｄにて構成された概略矩形状であり、一方を表板８２ｅにて閉鎖された筒状の構造をもっている。表板８２ｅの外側の面Ｆは電子機器の操作のためのパネルとなっている。成形品パネル８２の開口部は後述のシャシーとの組み付け開口８２ｆとなる。成形品パネル８２のシャシー組み付け開口８２ｆ近傍の両側板８２ｂ、８２ｃの内側から成形品パネル後方に向かってビス穴８３ａを持ったシャシー組み付け用突起８３を持つ。
【００１５】
図９の上部板金シャシー８１ａは天井板８１ａ１と両側板８１ａ２、８１ａ２にて形成された逆Ｕ字形状をしている。この上部板金シャシー８１ａの前側の開口部のパネル組み付け開口部８１ａ３が、成形品パネル８２と組み付けられる。上部板金シャシー８１ａのパネル組み付け開口部８１ａ３近傍の両側板８１ａ２、８１ａ２にはビス穴８４ａが形成されている。図９（ｂ）の下部板金シャシー８１ｂはＵ字形状を成す底板８１ｂ１と両側板８１ｂ２、８１ｂ２と、底板８１ｂ１と両側板８１ｂ２、８１ｂ２の一方の端部（後ろ側の端部）に後板８１ｂ３を持ち、底板８１ｂ１と両側板８１ｂ２、８１ｂ２がＵ字形状の断面を形成する一方の端部（前側の端部）に位置する開口部であるパネル組み付け開口部８１ｂ４を持つ、該箱形状を形成している。下部板金シャシー８１ｂの両側板８１ｂ２、８１ｂ２のパネル組み付け開口部８１ｂ４近傍にはビス穴８４ｂが形成されている突起部８４を設けている。上部板金シャシー８１ａを下部板金シャシー８１ｂに被せる。次に、図９（ｅ）に示す、成形品パネル８２を上部板金シャシー８１ａと下部板金シャシー８１ｂを組み合わせた後にできたパネル組み付け開口部８１ａ３、８１ｂ４に差し込む。パネル組み付け開口部８１ａ３、８１ｂ４には上部板金シャシー８１ａのパネル組み付け部のビス穴８４ａのある側面８１ａ２と下部板金シャシー８１ｂのパネル組み付け部であるビス穴８４ｂのある下部板金シャシー８１ｂ内側に屈曲した突起部８４によって形成された両側の空間８４ｃに成形品パネル８２のシャシー組み付け用突起８３を挿入し嵌合する。これにより、下部板金シャシー８１ｂのビス穴８４ｂと成形品パネル８２のビス穴８３ａ、上部板金シャシー８１ａのビス穴８４ａを重ね合わせる。重ね合わせられたビス穴８４ａ、８３ａ、８４ｂはビス８５によって締結し固定される。
【００１６】
また、例えば特許文献１に記載されるように、成形品パネル（べセル）を別の部品とされる側板を用いてビスにてシャシー本体と固定する方法も提案されている。
【００１７】
以上述べたように従来の板金シャシーや成形品シャシーへの成形品パネルの固定方法は、ビスでの固定、或いは、成形品同士の係止嵌合締結部の凹凸の嵌合であり、それぞれでその組み付け構造が異なっている。これは、板金は細かな造形が難しいため締結に最適な溝、あるいは突起を設けることが困難である為であり、また、成形品は組み付け強度を高めるため嵌合の幅を広くとる必要があるためである。これらの組み付け構造によってそれぞれのシャシーに対して成形品パネルはそれぞれ確実な嵌合、固定ができる。
【先行技術文献】
【特許文献】
【００１８】
【特許文献１】実公平６−４２６８号公報
【発明の概要】
【発明が解決しようとする課題】
【００１９】
上述のように、成形品シャシー、板金シャシーに組み付けるパネルの組み付け部の構造は、それぞれ異なる。そのため、操作パネルなどの成形品パネルはそれぞれで異なる構造のものを作製し用いる必要がある。つまり、成形品シャシーに対しては図７（ｄ）に示したような嵌合のための組み付け用突起、あるいは組み付け用溝構造が必要であり、板金シャシーに対しては図９（ｄ）に示したようなネジ結合のための部位が必要であり、それぞれに適合するような構造を持つ専用の成形品パネルが必要となっている。このため、基本的な構造が同じで操作パネルを共用できるはずの板金シャシーと成形品シャシーでもそれぞれのシャシー専用の異なる操作パネルをそれぞれ作製する必要があり、その分コストがかかる。
【００２０】
よって、本発明の目的は、成形品シャシーと板金シャシーに組み付けるパネルの組み付け構造を同じパネルで共通化し、樹脂などの成形品シャシー又は板金シャシーのいずれであっても対応できる組み付け構造を持つ成形品パネルを提供することである。
【課題を解決するための手段】
【００２１】
上記目的は本発明に係る成形品パネルにて達成される。要約すれば、本発明は、樹脂成形品である成形品シャシー又は板金シャシーを択一的に組み付けることのできる樹脂成形品である成形品パネルであって、
一端が閉鎖され、他端が開口部とされた筒状体とされ、
前記筒状体の前記開口部には、前記成形品シャシー又は前記板金シャシーの取り付け端部が適合される成形品パネル内側周縁嵌合部が形成され、
前記内側周縁嵌合部には、前記成形品シャシーを組み付けるための組み付け用溝又は突起を形成すると共に、前記板金シャシーを組み付けるための組み付け用のビス穴を有する突起部が形成されていることを特徴とする成形品パネルである。
【００２２】
本発明の一実施態様によると、前記成形品パネルに形成された前記内側周縁嵌合部は前記成形品シャシー及び前記板金シャシーの取り付け端部の厚み分の段差が形成され、前記成形品シャシー又は前記板金シャシーを組み付けた際に前記成形品パネルと、前記成形品シャシー又は前記板金シャシーと外周面にて段差なく組み付けられることを特徴とする上記構成の成形品パネルである。
【００２３】
本発明の他の実施態様によると、前記成形品パネルの前記開口部及び前記成形品パネル内側周縁嵌合部は、
概略矩形状とされ、
前記成形品パネル内側周縁嵌合部の上面及び下面に前記組み付け用溝が形成され、前記成形品パネル内側周縁嵌合部の両側面に前記突起部が形成されることを特徴とする上記構成の成形品パネルである。
【発明の効果】
【００２４】
本発明によれば、成形品パネルに成形品シャシー又は板金シャシーのいずれであっても組み付けることができ、コストの低減を図ることができる。
【図面の簡単な説明】
【００２５】
【図１】本発明に係る成形品パネルの一実施例である操作パネルを成形品シャシーに組み付けた後の電子機器の概略斜視図である。
【図２】操作パネルの概略図である。図２（ａ）は操作パネルの概略斜視図である。図２（ｂ）は操作パネルの成形品シャシーとの嵌合部分の概拡大斜視図である。図２（ｃ）は操作パネルの上面の成形品シャシーとの嵌合部の嵌合用溝穴の断面図である。図２（ｄ）は操作パネルの板金シャシーとの嵌合部分の概拡大斜視図である。図２（ｅ）は他の実施例における操作パネルの上面に設けた嵌合用突起と成形品シャシーとの嵌合状態を示す断面図である。
【図３】本発明に係る成形品パネルと成形品シャシーの概略図である。図３（ａ）は上部成形品シャシーの概略斜視図である。図３（ｂ）は下部成形品シャシーの概略斜視図である。図３（ｃ）は本発明に係る成形品パネルの一実施例である操作パネルの概略斜視図である。図３（ｄ）は操作パネルを成形品シャシーに組み付けた際の組み付け部分の操作パネルの外表面に垂直の断面を表す概略断面図である。
【図４】本実施例に係る成形品パネルの一実施例である操作パネルを板金シャシーに組み付けた後の電子機器の概略斜視図である。
【図５】操作パネルと板金シャシーの概略図である。図５（ａ）は上部板金シャシーの概略斜視図である。図５（ｂ）は下部板金シャシーの概略斜視図である。図５（ｃ）は操作パネルの概略斜視図である。図５（ｄ）は、上部板金シャシーと下部板金シャシーを組み合わせた図である。図５（ｅ）は、板金シャシーと操作パネルを組み付けた際の組み付け部の操作パネル外表面に垂直な断面を表す概略断面図である。
【図６】従来の成形品パネルを従来の成形品シャシーに組み付けた後の電子機器の概略斜視図である。
【図７】従来の成形品パネルと成形品シャシーを示す概略図である。図７（ａ）は、上部成形品シャシーの概略斜視図である。図７（ｂ）は、下部成形品シャシーの概略斜視図である。図７（ｃ）は、成形品パネルの外表面方向から見た概略斜視図である。図７（ｄ）は、成形品パネルの後ろ面から見た概略斜視図である。図７（ｅ）は、成形品パネルを成形品シャシーに組み付けた際の組み付け部分の成形品パネルの外表面に垂直の断面を表す概略断面図である。
【図８】従来の成形品パネルを従来の板金シャシーに組み付けた後の電子機器の概略斜視図である。
【図９】従来の成形品パネルと板金シャシーを示す概略図である。図９（ａ）は、上部板金シャシーの概略斜視図である。図９（ｂ）は、下部板金シャシーの概略斜視図である。図９（ｃ）は、成形品パネルの外表面方向から見た概略斜視図である。図９（ｄ）は、成形品パネルの裏開口部方向から見た概略斜視図である。図９（ｅ）は、上部板金シャシーと下部板金シャシーを組み合わせ、パネル取り付け開口部側から見た一部分の概略斜視図である。
【発明を実施するための形態】
【００２６】
以下、本発明に係る成形品パネルを図面に則して更に詳しく説明する。
【００２７】
実施例１
図１〜図５を参照して本発明に従った組み付け構造を持つ成形品パネル２の一実施例について説明する。
【００２８】
図１は、本実施例の組み付け構造を持つ成形品パネル２を成形品シャシー（上部成形品シャシー２１ａ、下部成形品シャシー２１ｂ）２１に組み付け後の電子機器本体１の概略斜視図である。
【００２９】
（成形品パネル）
本実施例によると、図２（ａ）に示す様に、樹脂成形品である成形品パネルとしての操作パネル２は天井板２ａ、両側板２ｂ、２ｃ、底板２ｄにて構成され、幅Ｗ、高さＨ、奥行きＤをもった略矩形形状であり、操作パネル２の前側のそれぞれの板２ａ〜２ｄの端部は表板２ｅにて閉鎖された筒状体の構造とされる。表面２ｅの外側の外表面Ｆは、電子機器の操作のためのパネルとなっている。成形品パネル２の他端である後ろ側のそれぞれの板２ａ〜２ｄの端部開口部は、成形品シャシー２１との組み付け開口２ｆとなる。
【００３０】
外表面Ｆには電子機器操作に必要な表示部、電源スイッチ、操作用ボタン、電極差し込み口端子であるジャック等が配設されている。
【００３１】
成形品パネル２のシャシー組み付け開口２ｆの、天井板２ａ、両側板２ｂ、２ｃ、底板２ｄの周縁部には、開口２ｆより更に外方（後側）へと延在して、且つ開口２ｆの外周面よりも所定長さＴ分だけ開口部内側方向に位置した、即ち、段差Ｔを持った成形品パネル内側周縁嵌合部３が形成される。図２（ａ）、図２（ｂ）に示す様に、成形品パネル２のシャシー組み付け開口２ｆの内側周縁嵌合部３の上面３ａと下面３ｄには、成形品シャシー２１との係合部である矩形状の溝状穴である成形品シャシー組み付け用溝穴４が設けられている。成形品シャシー組み付け用溝穴４は、内側周縁嵌合部３の成形品パネル２の天井板２ａ、床板２ｄに近接して設けられている。成形品パネル２の内側周縁嵌合部３の上面３ａと側面３ｂ、３ｃとの接続した角部３ａｂ、３ａｃ、及び、下面３ｄと側板３ｂ、３ｃとの接続した角部３ｄｂ、３ｄｃにも成形品シャシー組み付け用溝穴４が設けられている。
【００３２】
成形品パネル２の内側周縁嵌合部３の上面３ａの幅Ｗ方向の中央部には、必須ではないが、内側周縁嵌合部３の一部に切欠き３ａ１が形成されている。切欠き３ａ１の機能については後述する。又、同時に図２（ａ）、（ｄ）に示す様に成形品パネル２の内側周縁嵌合部３の幅Ｗ方向を水平として図２（ａ）にて開口部２ｆから見たときに左側面となる３ｂと右側面となる３ｃにはビス穴５を持つ板金シャシー組み付け部突起６を持つ。板金シャシー組み付け部突起６は内側周縁嵌合部３の他の面３ａ、３ｄよりも一部を更に延在させた形状である。
【００３３】
（成形品シャシー）
本実施例によると、図３（ａ）に示す上部成形品シャシー２１ａは、前述の図７に示すような従来のシャシーと同様の構成とされ、天井板２１ａ１と両側板２１ａ２、２１ａ２をもつ逆Ｕ字構造とされる。断面にて逆Ｕ字構造を持つ一方の前側の開口部が成形品パネルと組み付けられるパネル組み付け開口部２１ａ３である。パネル組み付け開口部２１ａ３近傍の天井板２１ａ１内側２１ａ４にはパネル組み付け用突起２２ａを持つ。パネル組み付け用突起２２ａは、パネル組み付け開口部２１ａ３内側に向かって天井板２１ａ１、側板２１ａ２に対して垂直に凸となるように設けられている。また、突起２２ａは、好ましくは、図２（ｃ）に示す様にその先端に係止爪２２ａ´を有し、溝穴４に弾発的に係止するようにすることもできる。複数のパネル組み付け用突起２２ａがパネル組み付け開口部２１ａ３の開口部周縁に沿って存在し、天井板２１ａ１の水平方向中央部のパネル組み付け用突起２２ａ１は他のパネル組み付け用突起２２ａよりも水平方向の長さが長い。また、天井板２１ａ１と側板２１ａ２、２１ａ２が形成する角部２１ａ１２の内側にも下方へ垂直に凸となり、更に側板２１ａ２の垂直方向へも凸となったパネル組み付け用突起２２ａが設けられている。
【００３４】
下部成形品シャシー２１ｂは底板２１ｂ１と両側板２１ｂ２によって形成されたＵ字構造とされる。又、成形品シャシー２１ｂの断面にてＵ字形状を持つ一方の前側の開口にてパネル組み付け開口部２１ｂ３を形成する。パネル組み付け開口部２１ｂ３近傍２１ｂ１の内側２１ｂ４にはパネル組み付け用突起２２ｂを持つ。パネル組み付け用突起はパネル組み付け開口部内側に向かって底板２１ｂ１に対して垂直に凸となるよう設けられている。又、パネル組み付け用突起２２ｂは下部成形品シャシー２１ｂのパネル組み付け開口部２１ｂ３の底板２１ｂ１、両側板２１ｂ２が形成する角部２１ｂ１２においてもパネル組み付け用開口内側に向かって床板２１ｂ１、側板２１ｂ２に対して垂直に凸となるよう設けられている。いくつかのパネル組み付け用突起２２ｂがパネル組み付け開口部２１ｂ３周縁に沿って設けられている。
【００３５】
尚、上部成形品シャシー２１ａ内部である天井板２１ａ１の内面２１ａ４には、天井板内面２１ａ４から下方へ向かって垂直に延伸され、更に中央が突出した凸部を持つシャシー嵌合用突起２３ａを持つことができる。又、下部成形品シャシー２１ｂ内部である底板２１ｂ１の内面２１ｂ４には底板２１ｂ１の上方内面２１ｂ３から上方へ向かって垂直に延伸され、更に中央が凹んだ凹部を持つ、シャシー嵌合用穴２３ｂを持つことができる。この構成により、上部成形品シャシー２１ａと下部成形品シャシー２１ｂはシャシー組み付け嵌合部であるシャシー嵌合用突起２３ａとシャシー嵌合用穴２３ｂにて嵌合され一体化することができる。この場合のシャシー嵌合用突起２３ａと嵌合用穴２３ｂで単に嵌合し組み付けるだけでなく、接着し、締結する方法であっても良い。その場合はシャシー組み付け嵌合部の形状は突起と対応する穴でなく、端面が平坦であっても良い。
【００３６】
次に、一体化された成形品シャシー２１のパネル組み付け開口部２１ａ３、２１ｂ３にパネル２が組み付けられる。パネル２の裏面の内側周縁嵌合部３のパネル組み付け用溝４（図２（ａ）、図２（ｂ））に上下シャシー２１ａ、２１ｂが一体化された成形品シャシー２１のパネル組み付け用突起２２ａ、２２ｂが図３（ｄ）に示す断面図のように適合され係止嵌合する。又、パネル２の裏側の内側周縁嵌合部３の上方の切欠き３ａ１には、上部成形品シャシー２１ａの天状板２１ａ１側の中央の突起２２ａ１が係止嵌合する。こうして、成形品パネル２が成形品シャシー２１に組み付けられ、図１に示す様な電子機器本体１が形成される。
【００３７】
（板金シャシー）
図４は、本実施例の成形品パネル２を板金シャシー４１に組み付けた後の電子機器本体１の概略斜視図である。
【００３８】
図５（ａ）に示す上部板金シャシー４１ａは、前述の図９に示す様な従来のシャシーと同様の構成とされ、天井板４１ａ１と両側板４１ａ２、４１ａ２で形成されている逆Ｕ字形状である。断面が逆Ｕ字形状になる一方の前側の開口部がパネル組み付け開口部４１ａ３である。上部板金シャシー４１ａはパネル組み付け開口部４１ａ３近傍の両側板４１ａ２の左右側面にパネル組み付け用ビス穴４２ａを持つ。又、断面が逆Ｕ字形状になるもう一方の後側の開口部４１ａ４近傍の両側板４１ａ２の左右側面にビス穴４３ａを持つ。
【００３９】
図５（ｂ）に示す下部板金シャシー４１ｂはＵ字形状を成す底板４１ｂ１と両側板４１ｂ２、４１ｂ２と、底板４１ｂ１と両側板４１ｂ２、４１ｂ２の一方の後側の端部に後板４１ｂ３を持ち、底板４１ｂ１と両側板４１ｂ２、４１ｂ２がＵ字形状の断面を形成する一方の前側の端部に位置する開口部であるパネル組み付け開口部４１ｂ４を持つ、概箱形状を形成している。下部板金シャシー４１ｂの両側板４１ｂ２、４１ｂ２のパネル組み付け開口部４１ｂ４近傍の両側板４１ｂ２にはビス穴４２ｂが形成されている板金シャシーパネル組み付け突起部４２を設けている。パネル組み付け突起部４２は板金シャシー組み付け部突起６の所定長さｔ４分内側に屈曲し、側板４１ｂ２よりも厚みｔ４分機器本体内部にある板金シャシーパネル組み付け部４２の側面４２ｂ２を形成している。又、下部板金シャシー４１ｂの後面４１ｂ３近傍の左右両側板４１ｂ２、４１ｂ２にビス穴４３ｂが形成されている。
【００４０】
上部板金シャシー４１ａは下部板金シャシー４１ｂの上面からパネル組み付け開口部４１ａ３、４１ｂ４の方向を揃えて組み合わされる。上部板金シャシー４１ａのビス穴４３ａ及び下部板金シャシー４１ｂのビス穴４３ｂを重ね合わせ、ビス４４にて嵌合締結され、一体化した板金シャシー４１が形成される。その後、図５（ｄ）に示す板金シャシー４１のパネル組み付け開口部４１ａ３、４１ｂ４に成形品パネル２を差し込む。パネル組み付け開口部４１ａ３、４１ｂ４には上部板金シャシー４１ａのパネル組み付け部のビス穴４２ａのある側面４１ａ２と下部板金シャシー４１ｂのパネル組み付け部であるビアス穴４２ｂのある下部板金シャシー４１ｂ内側に屈曲した突起部４２の外側面４２ｂ２によって形成された両側の空間４２ｃに成形品パネル２のシャシー組み付け用突起６を挿入し嵌合する。これにより、図５（ｅ）に示す断面図の様に成形品パネル２のビス穴５がある成形品パネル２の板金シャシー組み付け部突起６を下部板金シャシー４１ｂのビス穴４２ｂがあるパネル組み付け突起部４２の外側４２ｂ２の外側に重なるように挿入される。その更に外側に上部板金シャシー４１ａの両側面４１ａ２のビス穴４２ａが重ね合され、ビス４５にて締結される。
【００４１】
これにより、板金シャシー４１に成形品パネル２が組み付けられ、図４に示す様に一体化され、電子機器本体１が形成される。
【００４２】
尚、内側周縁嵌合部３は、上述のように、成形品パネル２の幅Ｗ、高さＨよりも成形品シャシー２１と板金シャシー４１の厚みＴ分内側に形成される。このように、段差Ｔを設けることにより、成形品パネル２と成形品シャシー２１、又は成形品パネル２と板金シャシー４１は、外周面での段差がなく組み付けることができる。
【００４３】
尚、上記では、成形品パネルを成形品シャシー、板金シャシーに組み立てる工程を上下のシャシーを組み合わせた後に成形品パネルを組み付けるという順で説明した。しかし、組み立てる順はこれに限らず、下部シャシーに成形品パネルを添えておき、最後に上部シャシーを組み合わせてからそれぞれ所定の方法で組み付けても良い。
【００４４】
上記のように本実施例において、成形品パネル２に共に設けられた成形品シャシー２１に嵌合、組み付けするためのパネル組み付け用溝４又は板金シャシー４１に嵌合、組み付けするための板金シャシー組み付け部突起６によって、成形品シャシー２１又は板金シャシー４１のどちらのシャシーにも択一的に成形品パネル２を組み付けることが可能である。
【００４５】
尚、本実施例において、成形品パネル２にはパネル組み付け用溝４、成形品シャシー３１にはパネル組み付け用突起２２ａ、２２ｂを設けたが、この構成は逆であっても良い。つまり、図２（ｅ）に示す様に成形品パネル２にパネル組み付け用突起４´を設け、成形品シャシーにパネル組み付け用溝２２ａ´´、２２ｂ´´を設けても良い。
【００４６】
また、パネル形状は略矩形形状のパネルとしたが、矩形でなく楕円形状や、他の多角形の形状等、違う形状であっても良い。その場合は、いうまでもなく、その形状にあった開口部を持つ成形品シャシー、あるいは板金シャシーを用いて機器本体が構成される。
【符号の説明】
【００４７】
１        電子機器本体
２        成形品パネル
３        成形品パネル内側周縁嵌合部
４        パネル組み付け用溝
５        パネル組み付け用ビス穴
６        板金シャシー組み付け部突起
２１      成形品シャシー
２２ａ，２２ｂ      パネル組み付け用突起
４１      板金シャシー
４２ａ，４２ｂ      パネル組み付け用ビス穴
【図１】
2014025725.tif 000003
【図２】
2014025725.tif 000004
【図３】
2014025725.tif 000005
【図４】
2014025725.tif 000006
【図５】
2014025725.tif 000007
【図６】
2014025725.tif 000008
【図７】
2014025725.tif 000009
【図８】
2014025725.tif 000010
【図９】
2014025725.tif 000011